(57)【要約】【課題】本考案の目的は、孔の位置の特殊な設計により、建物内の隅部に設置することができ、ＩＥＥＥ  １３９４、或いはＵＳＢのケーブルの範囲を延長することができ、接続に便利で、きれいに配線ができ、しっかりと設置ができる角置型ハブ装置を提供することである。【解決手段】ＩＥＥＥ  １３９４上蓋１、ＩＥＥＥ  １３９４電気回路板１１、ＩＥＥＥ  １３９４下蓋２から、或いはＵＳＢ上蓋１５、ＵＳＢ電気回路板１３、ＵＳＢ下蓋２１から構成し、ＩＥＥＥ  １３９４孔Ａ４、ＩＥＥＥ  １３９４孔Ｂ５、ＩＥＥＥ  １３９４孔Ｃ６の方向、或いはＵＳＢ孔Ａ７、ＵＳＢ孔Ｂ８、ＵＳＢ孔C９の方向は、３方向への特殊な設計にする。【選択図】図２
0003102208.tif 000002
【実用新案登録請求の範囲】
【請求項１】
複数の孔、及び電気回路板が設けられており、前記孔は、特殊な方向に開設されており、各種の隅部への設置、及びケーブルの接続に便利であることを特徴とする角置型ハブ装置。
【請求項２】
前記電気回路板上には端子が設けられており、孔と吻合しており、前記端子にケーブルを挿入することができ、信号を延長したり、接続したりすることを特徴とする請求項１に記載の角置型ハブ装置。
【考案の詳細な説明】
【技術分野】
【０００１】
本考案は角置型ハブ装置に係り、特に孔の位置の特殊な設計により、建物内の隅部に設置することができ、ＩＥＥＥ  １３９４、或いはＵＳＢケーブルの範囲を延長することができ、接続に便利で、きれいに配線ができ、しっかりと設置ができる角置型ハブ装置に関わる。
【背景技術】
【０００２】
ＩＥＥＥ  １３９４、及びＵＳＢの規格は、ホットプラグに対応していることや、高速伝送が可能なこと等から、すでに近代コンピュータにおける革命的なインターフェイスと見なされており、この2種類の規格が出現して以来、それに対応する周辺機器の数は数え切れないほどであり、ＩＥＥＥ  １３９４、及びＵＳＢはすでに今後のコンピュータにおいて欠かすことのできないインターフェイスであり、更にＩＥＥＥ  １３９４は映像音楽ネットワークにおける最も優れたインターフェイスであり、マイクロソフト社はオペレーションシステムにおいてＩＰ  ＯＶＥＲ  １３９４（ＩＥＥＥ  １３９４インターフェイスカードをネットワークインターフェイスカードに見立てるもの）をサポートしている。
【０００３】
一般に長距離のＩＥＥＥ  １３９４ケーブル、或いはＵＳＢケーブルを接続する時、コネクタの特殊性により、電話線の接続のように、先に距離を測り、ケーブルを切断し、コネクタを取り付けるという作業をすることができず、ＩＥＥＥ  １３９４ケーブル、及びＵＳＢケーブルを接続する時は必ず長さが固定されたケーブルを接続しなければならず、接続時に大変不便であり、如何に建物内においてＩＥＥＥ  １３９４ケーブル、或いはＵＳＢケーブルを接続するアダプタを開発するかは本考案の考案者が解決したい困難であった。
【特許文献１】特開２０００−１２５４４２公報
【考案の開示】
【考案が解決しようとする課題】
【０００４】
本考案の目的は、孔の位置の特殊な設計により、建物内の隅部に設置することができ、ＩＥＥＥ  １３９４、或いはＵＳＢのケーブルの範囲を延長することができ、接続に便利で、きれいに配線ができ、しっかりと設置ができる角置型ハブ装置装置を提供することである。
【課題を解決するための手段】
【０００５】
前記課題を解決するために、請求項１の考案は、複数の孔、及び電気回路板が設けられており、前記孔は、特殊な方向に開設されており、各種の隅部への設置、及びケーブルの接続に便利であることを特徴とする角置型ハブ装置装置である。
【０００６】
請求項２の考案は、前記電気回路板上には端子が設けられており、孔と吻合しており、前記端子にケーブルを挿入することができ、信号を延長したり、接続したりすることを特徴とする請求項１に記載の角置型ハブ装置装置である。
【考案の効果】
【０００７】
本考案における孔の位置の特殊な設計により、建物内の隅部に設置することができ、ＩＥＥＥ  １３９４、或いはＵＳＢのケーブルの範囲を延長することができ、接続に便利で、きれいに配線ができ、しっかりと設置ができる角置型ハブ装置を提供することができた。
【考案を実施するための最良の形態】
【０００８】
本考案は、孔の位置の特殊な設計により、建物内の隅部に設置することができ、ＩＥＥＥ  １３９４、或いはＵＳＢのケーブルの範囲を延長することができ、接続に便利で、きれいに配線ができ、しっかりと設置ができる角置型ハブ装置を提供するものであり本考案の好適な実施例を図に沿って説明する。
【実施例１】
【０００９】
ＩＥＥＥ  １３９４、及びＵＳＢのコネクタと規格は異なるので、本考案は２種類の形式に分けることができる。
【００１０】
１つ目はＩＥＥＥ  １３９４形式であり、図１，２に示すように本考案１０はＩＥＥＥ  １３９４上蓋１、ＩＥＥＥ  １３９４電気回路板１１、ＩＥＥＥ  １３９４下蓋２から構成されており、建物内の隅部に設置することに重点を置いており、ＩＥＥＥ  １３９４孔Ａ４、ＩＥＥＥ  １３９４孔Ｂ５、ＩＥＥＥ  １３９４孔Ｃ６の方向は、３方向への特殊な設計になっており、３次元空間における異なるケーブル接続の需要に対応することができ、ケーブル接続の応用方式を図３に示す。
【００１１】
図４は本考案の２つ目の形式であり、ＵＳＢインターフェイス用に設計されており、ＵＳＢコネクタとＩＥＥＥ  １３９４コネクタは異なる形状であるため、ＵＳＢ上蓋１５、ＵＳＢ電気回路板１３、ＵＳＢ下蓋２１から構成されており、ＵＳＢ電気回路板１３は内部に設置されており、図５は立体図であり、１つ目の形式と同様にＵＳＢ孔Ａ７、ＵＳＢ孔Ｂ８、ＵＳＢ孔C９が設けられており、ケーブル接続の応用方式を図６に示す。
【００１２】
本考案のＩＥＥＥ  １３９４電気回路板１１、及びＵＳＢ電気回路板１３の動作は直流電源によるもので、この直流電源はＩＥＥＥ  １３９４、及びＵＳＢからや、或いは外接電源から供給を受けることができる。
【００１３】
直流電源の供給を受けるために、ＩＥＥＥ  １３９４電源端子３とＵＳＢ電源端子３１が設けられており、外接電源を使用することができ、前記ＩＥＥＥ  １３９４電気回路板１１及び、ＵＳＢ電気回路板１３はアダプタ設計になっており、同時に複数のコネクタ、或いはケーブルを挿入することができる。
【図面の簡単な説明】
【００１４】
【図１】本考案のＩＥＥＥ  １３９４形式における立体図である。
【図２】本考案のＩＥＥＥ  １３９４形式における分解図である。
【図３】本考案のＩＥＥＥ  １３９４形式における実施例である。
【図４】本考案のＵＳＢ形式における分解図である。
【図５】本考案のＵＳＢ形式における立体図である。
【図６】本考案のＵＳＢ形式における実施例である。
【符号の説明】
【００１５】
１    ＩＥＥＥ  １３９４上蓋
１０  本考案
１１  ＩＥＥＥ  １３９４電気回路板
１２  ＩＥＥＥ  １３９４ケーブル
１３  ＵＳＢ電気回路板
１４  ＵＳＢケーブル
１５  ＵＳＢ上蓋
２    ＩＥＥＥ  １３９４下蓋
２１  ＵＳＢ下蓋
３    ＩＥＥＥ  １３９４電源端子
３１  ＵＳＢ電源端子
４    ＩＥＥＥ  １３９４孔Ａ
５    ＩＥＥＥ  １３９４孔Ｂ
６    ＩＥＥＥ  １３９４孔Ｃ  
７    ＵＳＢ孔Ａ
８    ＵＳＢ孔Ｂ
９    ＵＳＢ孔Ｃ
【図１】
0003102208.tif 000003
【図２】
0003102208.tif 000004
【図３】
0003102208.tif 000005
【図４】
0003102208.tif 000006
【図５】
0003102208.tif 000007
【図６】
0003102208.tif 000008
【手続補正書】
【提出日】平成16年1月20日(2004.1.20)
【手続補正１】
【補正対象書類名】実用新案登録請求の範囲
【補正対象項目名】請求項１
【補正方法】変更
【補正の内容】
【請求項１】
複数の孔、及び電気回路板が設けられており、前記孔は、３方向に開設されており、各種の隅部への設置、及びケーブルの接続に便利であることを特徴とする角置型ハブ装置。